(57)【要約】【課題】背中を確実に支持することができるものでありながら、左右方向に出っ張ることを可及的に回避することができる浮力材付き釣り用上着を提供する。【解決手段】  上着本体の後身頃２に板状の浮力材を備え、該浮力材が、背中を上下方向で支持するために後身頃２の上下寸法に略等しい上下長さを有し、かつ、後身頃２の略半分以上の左右寸法を有する背中部１６と、この背中部１６の表面と略面一状態で前記後身頃２の左右両横側部に位置する２つの横側部１７，１８の少なくとも３つの部材から構成した。【選択図】図３
2008179930.tif 000002
【特許請求の範囲】
【請求項１】
上着本体の後身頃に板状の浮力材を備え、該浮力材が、背中を上下方向で支持するために後身頃の上下寸法に略等しい上下長さを有し、かつ、後身頃の略半分以上の左右寸法を有する背中部と、この背中部の表面と略面一状態で前記後身頃の左右両横側部に位置する２つの横側部の少なくとも３つの部材から構成したことを特徴とする浮力材付き釣り用上着。
【請求項２】
前記背中部が、それの上側半分が左右の肩部まで支持可能な上側幅広部分と、この幅広部分の下端から下側に向かうほど左右中央部側に位置する左右両端を備えた下側幅狭部分とからなり、前記背中部の下側幅狭部分の左右両側に前記２つの横側部をそれぞれ振り分けて配置し、前記浮力材を３つの部材から構成したことを特徴とする請求項１に記載の浮力材付き釣り用上着。
【請求項３】
前記背中部の上側の左右両側に配置した左右の肩部と、該背中部の下側の左右両側に前記２つの横側部をそれぞれ振り分けて配置し、前記浮力材を５つの部材から構成したことを特徴とする請求項１に記載の浮力材付き釣り用上着。
【請求項４】
上着本体の後身頃に板状の浮力材を備え、該浮力材が、背中を支持するための背中部と、この背中部の左右両横側部に位置する第１横側部と、これら第１横側部それぞれの横側に位置する第２横側部の少なくとも５つの部材から構成したことを特徴とする浮力材付き釣り用上着。
【請求項５】
前記各第１横側部が、上下方向で分離された上側第１構成部材と下側第１構成部材の２つの部材から構成されたことを特徴とする請求項４に記載の浮力材付き釣り用上着。
【請求項６】
前記背中部の上側部分を上端側ほど幅狭となる台形状に構成し、前記第１部材の上側の左右両横側に位置する前記上側第１構成部材の上側部分を上端側ほど先細り形状に構成したことを特徴とする請求項４又は５に記載の浮力材付き釣り用上着。
【請求項７】
前記上側第１構成部材をそれの上側ほど背中部側に位置する傾斜状態で配置し、該上側第１構成部材の上側部分の両横側端のうちの背中部から離間する側の端を、それの上端側ほど背中部側に位置する傾斜部に構成することにより前記先細り形状にしたことを特徴とする請求項６に記載の浮力材付き釣り用上着。
【請求項８】
前記後身頃を構成する裏地の少なくとも一部を通気性を有する生地から構成し、前記背中部と２つの横側部とを別々に収納可能な収納部を備えるとともに少なくとも背中部と隣り合う２つの横側部との間に渡る部分のそれぞれが通気性を有する生地にて構成された収納袋を備え、前記裏地側から前記２つの部材間のうちの少なくとも一方の通気部分を通して前記後身頃を構成する表地側へ通気させるための通気部を該表地に備えさせたことを特徴とする請求項１〜７のいずれかに記載の浮力材付き釣り用上着。
【請求項９】
前記表地のうちの、前記背中部と、該背中部から隣り合う２つの横側部に渡る部分とに対応する箇所に、通気性を有するメッシュ状生地を備えさせ、そのメッシュ状生地を表面側から覆う外皮部材を備え、該外皮部材の上端と左右方向両端それぞれの下側部分とをこれらに対応する前記表地の部分にそれぞれ連結したことを特徴する請求項８記載の浮力材付き釣り用上着。
【請求項１０】
前記外皮部材が前記表地の部分に着脱自在に連結してなる請求項９記載の浮力材付き釣り用上着。
【請求項１１】
前記表地のうちの、前記背中部とこれと隣り合う２つの横側部との間に渡る部分に対応する部位に縦方向のスリットを形成し、このスリットを形成する中央側端に左右幅を有する縦長状でメッシュ状のスリット閉止用の生地の左右方向一端側を連結し、該スリット閉止用生地の左右方向他端側を前記スリットを構成する横側端から左右方向横側に所定距離離間した外側位置に連結したことを特徴とする請求項８記載の浮力材付き釣り用上着。
【発明の詳細な説明】
【技術分野】
【０００１】
本発明は、例えばフローティングベストと称される浮力材が内装された浮力材付き釣り用上着に関する。
【背景技術】
【０００２】
この種のフローティングベストは、上着本体を構成する左右の前身頃及び後身頃内に、発泡プラスチックからなる板状の浮力材をそれぞれ備えている。各浮力材は、前身頃や後身頃の形状に合わせて形成され、左右の前身頃及び後身頃内をほぼ埋めるようになっている。
そして、前記後身頃内に備えさせた浮力材は、背中を支持することができる背中部と、この背中部の両端の上下方向ほぼ中央部から下側部分から左右方向にそれぞれ真っ直ぐに延びる横側部とが一体化された一枚の平板状のものから構成されている。（例えば、特許文献１参照）。
又、前記背中部の左右中央部で分割してなる２枚の浮力材を後身頃内に備えさせたものも提案されている（例えば、特許文献２参照）。
【特許文献１】特開２００６−１８８７８９号公報（図１、図２参照）
【特許文献２】特開２００６−１７６９２５号公報（図１、図２参照）
【発明の開示】
【発明が解決しようとする課題】
【０００３】
前記特許文献１の構成では、浮力材を前身頃及び後身頃に備えさせることによって、前後の両方で厚みを有するベストになるだけでなく、前記浮力材が平板状であることから、特に横側部が身体に沿った形状になり難く、実際には左右方向両端側へそれぞれ横側部が突出した状態になっていることから、それら２つの横側部に手が当たったりして、邪魔になるものであった。
又、前記特許文献２の構成では、背中部が左右中央部で分割されていることから、それら２枚の浮力材が互いに接近する端側ほど前方側に位置する山形状に傾斜することによって、左右の横側部が左右方向外方側へ大きく突出することを抑制することができるものの、その効果が十分ではないだけでなく、背中を確実に支持している構成ではないことから、例えば背中側から転倒した場合に、背中を十分に支持することができないものであり、改善の余地があった。
【０００４】
本発明が前述の状況に鑑み、解決しようとするところは、背中を確実に支持することができるものでありながら、左右方向に出っ張ることを可及的に回避することができる浮力材付き釣り用上着を提供することを課題とする。
【課題を解決するための手段】
【０００５】
本発明の浮力材付き釣り用上着は、上着本体の後身頃に板状の浮力材を備え、該浮力材が、背中を上下方向で支持するために後身頃の上下寸法に略等しい上下長さを有し、かつ、後身頃の略半分以上の左右寸法を有する背中部と、この背中部の表面と略面一状態で前記後身頃の左右両横側部に位置する２つの横側部の少なくとも３つの部材から構成したことを特徴としている。
上記のように、後身頃の上下寸法に略等しい上下長さを有し、かつ、後身頃の略半分以上の左右寸法を有する縦長で幅広な背中部にて背中を確実に支持することができながらも、背中部とは分離された別の２つの横側部が身体の横側に沿う姿勢に姿勢変更することができる。
【０００６】
前記背中部が、それの上側半分が左右の肩部まで支持可能な上側幅広部分と、この幅広部分の下端から下側に向かうほど左右中央部側に位置する左右両端を備えた下側幅狭部分とからなり、前記背中部の下側幅狭部分の左右両側に前記２つの横側部をそれぞれ振り分けて配置し、前記浮力材を３つの部材から構成してもよい。
【０００７】
前記背中部の上側の左右両側に配置した左右の肩部と、該背中部の下側の左右両側に前記２つの横側部をそれぞれ振り分けて配置し、前記浮力材を５つの部材から構成してもよい。
【０００８】
上着本体の後身頃に板状の浮力材を備え、該浮力材が、背中を支持するための背中部と、この背中部の左右両横側部に位置する第１横側部と、これら第１横側部それぞれの横側に位置する第２横側部の少なくとも５つの部材から構成してもよい。
【０００９】
前記各第１横側部が、上下方向で分離された上側第１構成部材と下側第１構成部材の２つの部材から構成されていてもよい。
【００１０】
前記背中部の上側部分を上端側ほど幅狭となる台形状に構成し、前記第１部材の上側の左右両横側に位置する前記上側第１構成部材の上側部分を上端側ほど先細り形状に構成してもよい。
【００１１】
前記上側第１構成部材をそれの上側ほど背中部側に位置する傾斜状態で配置し、該上側第１構成部材の上側部分の両横側端のうちの背中部から離間する側の端を、それの上端側ほど背中部側に位置する傾斜部に構成することにより前記先細り形状にしてもよい。
【００１２】
前記後身頃を構成する裏地の少なくとも一部を通気性を有する生地から構成し、前記背中部と２つの横側部とを別々に収納可能な収納部を備えるとともに少なくとも背中部と隣り合う２つの横側部との間に渡る部分のそれぞれが通気性を有する生地にて構成された収納袋を備え、前記裏地側から前記２つの部材間のうちの少なくとも一方の通気部分から前記後身頃を構成する表地側へ通気させるための通気部を該表地に備えさせてもよい。
【００１３】
前記表地のうちの、前記背中部と、該背中部から隣り合う２つの横側部に渡る部分とに対応する箇所に、通気性を有するメッシュ状生地を備えさせ、そのメッシュ状生地を表面側から覆う外皮部材を備え、該外皮部材の上端と左右方向両端それぞれの下側部分とをこれらに対応する前記表地の部分にそれぞれ連結してもよい。
【００１４】
前記外皮部材を前記表地の部分に着脱自在に連結してもよい。
【００１５】
前記表地のうちの、前記背中部と隣り合う２つの横側部との間に渡る部分に対応する部位に縦方向のスリットを形成し、このスリットを形成する中央側端に左右幅を有する縦長状でメッシュ状のスリット閉止用の生地の左右方向一端側を連結し、該スリット閉止用生地の左右方向他端側を前記スリットを構成する横側端から左右方向横側に所定距離離間した外側位置に連結してもよい。
【発明の効果】
【００１６】
後身頃の上下寸法に略等しい上下長さを有し、かつ、後身頃の略半分以上の左右寸法を有する縦長で幅広な背中部にて背中を確実に支持することができながらも、別の２つの横側部が身体の横側に沿う姿勢に姿勢変更することができるから、背中を確実に支持することができるものでありながら、左右方向に出っ張ることを可及的に回避することができる浮力材付き釣り用上着を提供することができる。
【００１７】
前記背中部が、それの上側半分が左右の肩部まで支持可能な上側幅広部分と、この幅広部分の下端から下側に向かうほど左右中央部側に位置する左右両端を備えた下側幅狭部分とからなり、前記背中部の下側幅狭部分の左右両側に前記２つの横側部をそれぞれ振り分けて配置し、前記浮力材を３つの部材から構成することによって、後身頃のほぼ全域に渡る範囲を１枚の背中部にてカバーすることができ、背中を幅広な背中部にて確実に支持することができながらも、左右横側部を身体の横側に確実に沿わせることができる。
【００１８】
前記背中部の上側の左右両側に配置した左右の肩部と、該背中部の下側の左右両側に前記２つの横側部をそれぞれ振り分けて配置し、前記浮力材を５つの部材から構成することによって、後身頃の略半分以上の左右幅を上下全域に有する背中部にて背中を確実に支持することができながらも、分離された肩部にて身体の動きもスムーズに行うことができるとともに、左右横側部を身体の横側に確実に沿わせることができる。
【００１９】
上着本体の後身頃に板状の浮力材を備え、該浮力材が、背中を支持するための背中部と、この背中部の左右両横側部に位置する第１横側部と、これら第１横側部それぞれの横側に位置する第２横側部の少なくとも５つの部材から構成することによって、特に横方向に身体を動かす、例えば腰を回転させたり、身体を捻りながら斜め前方又は斜め後方へ倒れこむような動きをした場合でも、それらの動きを背中部と第１横側部との間の他、第１横側部と第２横側部との間を介して良好に吸収することができるから、浮力材が内部で突っ張るような状態にはならず、使用面において違和感なく使用することができる。
【００２０】
前記各第１横側部が、上下方向で分離された上側第１構成部材と下側第１構成部材の２つの部材から構成されている場合には、前に屈む姿勢になる場合に、第１横側部が上下方向で突っ張るようなことがなく、スムーズな動きをすることができる。
【００２１】
前記背中部の上側部分を上端側ほど幅狭となる台形状に構成し、前記第１部材の上側の左右両横側に位置する前記上側第１構成部材の上側部分を上端側ほど先細り形状に構成することによって、左右の上端角部が角張ることがなく、装着感を高めることができる。又、背中部の上側部分を上端側ほど幅狭にしている分、上側第１構成部材の左右幅寸法を確保することができ、上側第１構成部材そのものの強度アップを図ることができる。
【００２２】
前記上側第１構成部材をそれの上側ほど背中部側に位置する傾斜状態で配置し、該上側第１構成部材の上側部分の両横側端のうちの背中部から離間する側の端を、それの上端側ほど背中部側に位置する傾斜部に構成することにより前記先細り形状にすることによって、肩の動きをスムーズに行うことができながらも、肩の後側へ上側第１構成部材が大きく出っ張ることを抑えることができる。
【００２３】
前記後身頃を構成する裏地の少なくとも一部を通気性を有する生地から構成し、前記背中部と２つの横側部とを別々に収納可能な収納部を備えるとともに少なくとも背中部と隣り合う２つの横側部との間に渡る部分のそれぞれが通気性を有する生地にて構成された収納袋を備え、前記裏地側から前記２つの部材間のうちの少なくとも一方の通気部分から前記後身頃を構成する表地側へ通気させるための通気部を該表地に備えさせることによって、断熱材となる浮力材を備えているものであっても、通気性を高めることで、夏場などでの暑い時期でも快適に使用することができる。
【００２４】
前記表地のうちの、前記背中部と、該背中部から隣り合う２つの横側部に渡る部分とに対応する箇所に、通気性を有するメッシュ状生地を備えさせ、そのメッシュ状生地を表面側から覆う外皮部材を備え、該外皮部材の上端と左右方向両端それぞれの下側部分とをこれらに対応する前記表地の部分にそれぞれ連結することによって、メッシュ状生地を通して排出される熱気等を、左右両側に形成される外皮部材と表地の部分との間の隙間や外皮部材の下端とメッシュ状生地の下端に形成される隙間から放出することができる。しかも、メッシュ状生地が外皮部材にて覆われていることから、外部から見えないだけでなく、メッシュ状生地の耐久性が低下することを長期間に渡って抑制することができる。
【００２５】
前記外皮部材を前記表地の部分に着脱自在に連結しておけば、外皮部材を取り外して、外皮部材のみを補修したり、洗濯することができる利点がある。
【００２６】
前記表地のうちの、前記背中部と隣り合う２つの横側部との間に渡る部分に対応する部位に縦方向のスリットを形成し、このスリットを形成する中央側端に左右幅を有する縦長状でメッシュ状のスリット閉止用の生地の左右方向一端側を連結し、該スリット閉止用生地の左右方向他端側を前記スリットを構成する横側端から左右方向横側に所定距離離間した外側位置に連結することによって、通気性を有する大きな面積のメッシュ状生地を用いる場合に必要となる大きな面積を有する外皮部材（カバー部材）が不要になり、その分コストの低減化を図ることができる。
【発明を実施するための最良の形態】
【００２７】
図１に、浮力材付き釣り用の上着の一例である袖なしの上着であるベストを示しているが、袖のある上着であってもよい。このベストは、例えば磯釣りの際に装着されるフローティングベストして使用されているが、波止釣りや船釣り等で使用してもよい。
前記ベストは、上着本体を構成する前身頃１と、この前身頃１の左右両端に連結される後身頃２とを備え、特に後身頃２を構成する生地（裏地２４と表地）の大部分（一部でもよい）を通気性のよいメッシュ状の生地から構成することによって、高い通気性を確保することができ、好ましいが、通気性を有さない生地から構成することもできる。前記前身頃１は、左前身頃１Ａと右前身頃１Ｂとを備え、それら左前身頃１Ａと右前身頃１Ｂそれぞれの内部に、浮力材３又は４を備えさせている。これら左前身頃１Ａ及び右前身頃１Ｂの左右方向中心部側端に備えさせたベスト着脱用スライドファスナー５を開閉操作することで身体にベストを着脱することができるようになっているが、他の構成であってもよい。つまり、前記ベスト着脱用スライドファスナー５にて着脱できる構成であるが、他の開閉手段を用いてもよいし、又、開閉手段を無くした構成、つまり頭から被って着るようなベストであってもよい。
【００２８】
前記左右に配置した浮力材３，４は、左右対称型になっている以外は、同一構成であるため、左側に配置した浮力材３を中心に説明する。
図１及び図２（ａ），（ｂ）に示すように、浮力材３又は４は、前身頃の中央部に位置する中央部分３Ａ又は４Ａと、この中央部分３Ａ又は４Ａの表面と略面一状態で配置され前身頃の中央部から離間する横側部に位置する横側部分３Ｂ又は４Ｂとを備え、前記中央部分３Ａ又は４Ａが、上部に位置する山型の上側部分３ａ又は４ａと、この上側部分３ａ又は４ａの下側に位置する中央部本体部分３ｂ又は４ｂの２つの部材から構成されている。このように、浮力材３，４を３つに分割することによって、上側部分３ａ又は４ａと横側部分３Ｂ又は４Ｂとが中央部本体部分３ｂ又は４ｂに対して姿勢変更することができるから、身体の表面により一層沿わせることができる利点があるが、上側部分３ａ又は４ａと中央部本体部分３ｂ又は４ｂとを一体化した中央部分３Ａ又は４Ａと、横側部分３Ｂ又は４Ｂの２つの部材から構成してもよいし、４つ以上の部材にて構成する他、場合によっては１つの部材にて構成することもできる。ここでは、３つの部材の厚みを全て同一又はほぼ同一にしているが、異なる厚みの部材から構成することもできる。このような３つの部材、上側部分３ａ、中央部本体部分３ｂ、横側部分３Ｂを、それぞれ別々に収納空間を備えたメッシュ状の収納袋１０を備えている。この収納袋１０は、２枚のメッシュ状の生地１０Ａ，１０Ｂをそれらの外周縁を内折りにして重ね合わせて縫着することによって、袋状に構成したものである。そして、それら上側部分３ａ、中央部本体部分３ｂ、横側部分３Ｂのうちの隣り合う部分間で生地１０Ａ，１０Ｂを２本の糸１３，１３にて縫い付けることによって、３つの部材３ａ，３ｂ，３Ｂを別々に仕切った状態で収納することができるようになっているが、他の方法であってもよい。図に示す１１は、前記３つの部材３ａ，３ｂ，３Ｂが収納された収納袋１０を前身頃１Ａの内部に収納したときに図示していない係止部としての雌型（又は雄型）のドット釦に係止して内部に固定することができる係止具としての雄型（又は雌型）のドット釦を示しており、収納袋１０が前身頃１Ａの内部で移動し難くすることができ、好ましいが、無くてもよい。尚、前記係止具１１は、収納袋１０に縫着された生地１２に備えさせている。
【００２９】
図１に示すように、前記前身頃１のうちの左前身頃１Ａの上側部分に上ポケット６を備えるとともに、左前身頃１Ａの下側部分に下ポケット７を備えている。又、右前身頃１Ｂの上側部分に上ポケット８を備えるとともに、右前身頃１Ｂの下側部分に下ポケット９を備えているが、上ポケット６，８の個数及び形状は自由に変更可能である。
【００３０】
前記上側のポケット６又は８は、左右対称となる形状になっているとともに、共に正面視においてほぼ直角三角形状になっている。
図１に示すように、上側のポケット６又は８の開口を、上方からの収納物の出し入れを可能にするべく、上着本体の左右方向両端側から中心部に向かうほど下方に位置する傾斜開口に形成され、この開口を閉じるための開閉自在な開閉手段としてのスライドファスナー１４を備え、このスライドファスナー１４は、一対のテープ（基布）と、それらテープに互いに対向するように取り付けられた多数の歯からなるエレメント（務歯部）と、前記一対のエレメントを噛み合わせる、又はその噛み合いを解除操作するための一対のスライダー（開閉部材）と、これらスライダーに取り付けられた摘み部１４Ａ，１４Ｂとからなり、図１に示すように、スライドファスナー１４の開閉方向を上下で変更することができるようになっているが、１つのスライダーのみで構成してもよい。
【００３１】
前記下ポケット７，９について説明すれば、図１に示すように、各ポケット７，９の開口を、左右方向に伸びるとともに上端に位置する横向きのほぼ水平となる第１開口部２１と、この第１開口部２１の前身頃の左右方向中央部から離間する側となる外側端から下方へ円弧形状となって向かう縦向きの第２開口部２２とから構成し、各ポケット７，９の開口に、該開口を閉じる開閉自在なスライドファスナー２３（前記スライドファスナー１４と同一構成であるため、説明は省略する）を備えている。
【００３２】
図３（ａ），（ｂ）及び図６（ａ），（ｂ）に示すように、前記後身頃２にも５つに分割された板状の浮力材１６〜２０を備え、該浮力材が、背中を上下方向で支持するために後身頃２の上下寸法に略等しい上下長さを有し、かつ、後身頃２の略半分以上の左右寸法を有するように設定され、上部が上端側ほど幅狭となる船形状の背中部１６と、この背中部１６の表面と略面一状態で前記後身頃２の左右両横側部の下側に位置する左右一対の横側部１７，１８と、前記後身頃２の左右両横側部の上側に位置する左右一対の肩部１９，２０の合計５つの浮力材から構成されている。
このように、後身頃２の上下寸法に略等しい上下長さを有し、かつ、後身頃２の略半分以上の左右寸法を有する縦長で幅広な背中部１６にて背中を確実に支持することができながらも、別の２つの横側部１７，１８が身体の横側に沿う姿勢に姿勢変更することができるから、左右方向外方側に横側部１７，１８が大きく突出することがないようにしている。又、肩部１９，２０も肩に沿って姿勢変更することができ、動き易いようになっている。
【００３３】
前記後身頃２を構成する裏地２４（図１参照）の大部分（全てでもよいし、一部でもよい）を通気性を有する生地から構成し、図６（ａ），（ｂ）に示すように、前記背中部１６と、背中部１６の左右両側の下側に位置する２つの横側部１７，１８と、背中部１６の左右両側の上側に位置する２つの肩部１９，２０の５つの浮力材を別々に収納可能な収納部を備えるとともに通気性を有する生地にて構成するべくメッシュ状の収納袋２５を備え、図３（ａ），（ｂ）に示すように、前記裏地２４側から前記収納袋２５を通して前記後身頃２を構成する表地２６側へ通気させるための通気部を該表地２６に備えさせている。具体的には、図４にも示すように、前記表地２６のうちの、前記背中部１６と、該背中部１６から隣り合う２つの横側部１７，１８に渡る部分とに対応する部分（図では上下方向中央よりも少し上側部分から下端に渡る表地２６の半分を越える広い範囲）に、通気性を有する一枚のメッシュ状生地２７を備えさせて、前記通気部を構成している。図６（ａ），（ｂ）に示すように、前記収納袋２５は、前記と同様に２枚のメッシュ状の生地２５Ａ，２５Ｂをそれらの外周縁を内折りにして重ね合わせて縫着することによって、袋状に構成したものである。そして、前記５つの浮力材１６〜２０のうちの隣り合う部材間で生地２５Ａ，２５Ｂを２本の糸３２，３２にて縫い付けることによって、５つの浮力材１６〜２０を別々に仕切った状態で収納することができるようになっているが、他の方法であってもよい。図に示す３３は、前記５つの部材１６〜２０が収納された収納袋２５を前身頃の内部に収納したときに内部に備えさせた係止部としての雌型（又は雄型）のドット釦（図示せず）に係止して内部に固定することができる係止具としての雄型（又は雌型）のドット釦を示しており、収納袋２５が後身頃２の内部で移動し難くすることができ、好ましいが、無くてもよい。尚、前記係止具３３は、収納袋２５に縫着された生地３４に備えさせている。前記収納袋２５全体が通気性を有するように構成する他、背中部１６と２つの横側部１７，１８との間に渡る部分のみを通気性を有するように構成してもよい。
【００３４】
図５に示すように、前記メッシュ状生地２７を表面側から覆う外皮部材２８を備えており、該外皮部材２８の上端と左右方向両端それぞれの下側部分とをこれらに対応する前記表地２６の部分、つまり、該表地２６の上部を構成する上部側部分２９の下端と、該表地２６の下部の左右両端を構成する左右両側部分３０，３１とに、それぞれ連結している。詳述すれば、前記外皮部材２８の上端部及び左右両端部分のそれぞれの外面に、複数の雄型（又は雌型）の係止部材（ドット釦）３５を備えさせ、該係止部材３５に係止及び係止解除自在な雌型（又は雄型）の被係止部材（ドット釦）３６を、前記上部側部分２９の下端の内面、左右両側部分３０，３１の内面にそれぞれ備えさせて、両者を係止及び係止解除することにより、外皮部材２８を表地２６に着脱自在に連結することができるようになっているが、外皮部材２８を表地２６に完全に固定する構成であってもよい。前記上部側部分２９の左右方向３箇所に、通気用のメッシュ状部材３７，３８，３９を備えさせて、裏地２４からの通気性を高めることができるようにしている。
このように構成された後身頃２の通気について説明すれば、図３（ａ），（ｂ）に示すように、裏地２４を通過して後身頃２の内部に侵入してきた熱気等は、図３（ｂ）に示すように背中部１６と隣り合う一方の横側部１７との間に渡る通気部を通る、又は収納袋２５の左右両端に形成される後身頃２のスペース４０を通して、メッシュ状生地２７の外側まで移動し、外皮部材２８の左右両端に形成される開口（隙間）２８Ａや外皮部材２８の下端とメッシュ状生地２７の下端とで形成される開口（隙間）を通して外部へ排出できるようになっている。前記スペース４０は、前記メッシュ状生地２７及び裏地２４の左右端にそれぞれ一端が縫着されるとともに後身頃２の左右端部をそれぞれ構成する一対の端部材４１，４２から形成され、これら端部材４１，４２の他端同士（左右方向両端同士）が重ねられてそれら端部分を縁取り用の外縁部材４３にて覆ってから縫着している。
【００３５】
前記後身頃２を、図７〜図８に示すものから構成してもよい。そして、図９（ａ），（ｂ）に示すように、前記５つの浮力材を、背中部１６と左右の肩部１９，２０とが一体化された幅広に構成された背中部４４と、この背中部４４の左右両側の下側に配置された横側部４５，４６の３つの浮力材から構成し、これら３つの浮力材４４，４５，４６を、前記と同様にメッシュ状の収納袋４７に収納して、背中部４４に対して２つの横側部４５，４６が身体に合わせて姿勢変更することができるようになっている。前記収納袋４７は、前記と同様に２枚のメッシュ状の生地４７Ａ，４７Ｂをそれらの外周縁を内折りにして重ね合わせて縫着することによって、袋状に構成したものである。そして、前記３つの浮力材４４〜４６のうちの隣り合う部材間のそれぞれで１本の糸４８を用いて生地４７Ａ，４７Ｂを縫い付けることによって、３つの浮力材４４〜４６を別々に仕切った状態で収納することができるようになっている。図９（ａ），（ｂ）に示す４９は、前記と同様に、収納袋４７に固定された生地５０に備えたドット釦であり、このドット釦を後身頃２内に備えたドット釦に係止することにより、収納袋４７が後身頃２の内部で移動し難くすることができ、好ましいが、無くてもよい。前記収納袋４７全体が通気性を有するように構成する他、背中部４４と２つの横側部４５，４６との間に渡る部分のみを通気性を有するように構成してもよい。
【００３６】
前記背中部４４は、図９（ａ）に示すように、それの上側半分が左右の肩部まで支持可能な上側幅広部分４４Ａと、この幅広部分４４Ａの下端から下側に向かうほど左右中央部側に位置する左右両端を備えた下側幅狭部分４４Ｂとからなり、前記背中部４４の下側幅狭部分４４Ｂの左右両側に前記２つの横側部４５，４６をそれぞれ振り分けて配置し、前記浮力材を３つの部材から構成することによって、図７に示すように、後身頃２のほぼ全域に渡る範囲を１枚の背中部にてカバーすることができ、背中を幅広な背中部４４にて確実に支持することができながらも、左右横側部４５，４６を身体の横側に確実に沿わせることができるようにしている。図９（ａ）では、下側幅狭部分４４Ｂの左右両側を下側に向かうほど左右中央部側になだらかに湾曲する湾曲面４４Ｃ，４４Ｄを形成しているが、直線で構成してもよい。
【００３７】
又、図７及び図８（ａ），（ｂ）に示すように、前記後身頃２の表地５１を、背中を覆う幅広に構成された縦長状の背中部５２と、この背中部５２の上端左右に縫着される左右の肩部５３，５４と、前記背中部５２の左右両端の下側部分に上下両端の２箇所のみで縫着される左右の横側部５５，５６とから構成することによって、前記浮力材の背中部４４と隣り合う２つの横側部４５，４６との間に渡る部分に対応するそれぞれの部位に位置した状態で、背中部５２の左右両端５２Ａ，５２Ｂと隣り合う２つの横側部５５，５６の背中部５２側端５２Ｂ，５５Ａとの間に縦方向のスリット５７，５８を形成しているが、１枚の生地を切断してスリットを形成する構成であってもよい。前記スリット５７，５８を形成する後身頃２の中央部側端５２Ａ，５２Ｂを形成する背中部５２の左右両端の下部の裏面（内面）に、所定の左右幅を有する縦長状でメッシュ状のスリット閉止用の生地５９の左右方向一端側（後身頃２の中央部側）を連結し、該スリット閉止用生地５９の左右方向他端側（後身頃２の中央部から離間する外側）を、前記スリット５７，５８を構成する後身頃２の中央部から離間する外側端を形成する横側部５５，５６の背中部５２側端５５Ａ，５６Ａから左右方向外側（横側）に所定距離離間した位置の裏面（内面）に連結している。図１０に、一方（右側）の横側部５６と一方（右側）のスリット閉止用生地５９との縫着部６１を破線で示し、背中部５２と一方（右側）のスリット閉止用生地５９との縫着部６２を一点鎖線で示している。尚、図８（ａ）では、スリット閉止用生地５９を見え易くするため、一方（右側）の横側部５６の後身頃２の中央部側端５６Ａを矢印方向に引っ張っている状態を示している。
従って、図８（ｂ）に示すように、裏地２４からの熱気等が隣り合う背中部４４と横側部４５，４６との間の通気部（収納袋４７で構成される部分）を通して前記スリット閉止用の生地５９へ移動し、スリット５８を介して外部へ排出されるようになっている。尚、前記裏地２４は、外周縁を構成する生地６３に縫い付けられている。前記左右のスリット閉止用生地５９，５９を横側部５５，５６にて覆った状態にすることによって、外側から左右のスリット閉止用生地５９，５９を見え難くすることができるだけでなく、生地の保護をすることができ好ましいが、スリット閉止用生地５９，５９を露出する状態で備えさせてもよい。ここでは、２つのスリット５７，５８を設けたが、１つ又は３つ以上のスリットを設けてもよい。
【００３８】
図３（ｂ）、図４（ａ）及び図７（ａ）に示すように、前記後身頃２を構成してもよい。つまり、前記後身頃２に、互いに分割された７つの板状の浮力材１６〜２２を備え、該浮力材が、背中を上下方向で支持するために後身頃２の上下寸法に略等しい上下長さを有し、かつ、後身頃２の略半分以上の左右寸法を有するように設定され、上部が上端側ほど幅狭となる背中部を構成する船形状の第１部材１６と、この第１部材１６の前記後身頃２の左右両横側部に位置する第２部材を構成するべく、上下にそれぞれ配置された左右一対の上側第２構成部材１７，１９と左右一対の下側第２構成部材１８，２０と、前記下側第２構成部材１８，２０の横側部に位置する第３部材２１，２２の合計７つの浮力材から構成されているが、１つ又は２つあるいは３つの浮力材又は５つの浮力材から構成してもよい。
このように、後身頃２の上下寸法に略等しい上下長さを有し、かつ、後身頃２の略半分以上の左右寸法を有する縦長で幅広な第１部材１６にて背中を確実に支持することができながらも、別の４つの部材１８，２０，２１，２２が身体の横側に沿う姿勢に姿勢変更することができるから、左右方向外方側に部材１８，２０，２１，２２が大きく突出することがないようにしている。又、肩部に相当する上側に位置する上側第２構成部材１７，１９も肩に沿って姿勢変更することができ、動き易いようになっている。前記第２部材が、前記のように上下方向で分離された上側第２構成部材１７，１９と下側第２構成部材１８，２０の２つの部材から構成されているが、１つの部材から構成してもよい。
【００３９】
図３（ｂ）にも示すように、前記第１部材１６の上側部分を上端側ほど幅狭となる台形状に構成し、該第１部材１６の上側の左右両横側に位置する前記第２構成部材１７，１９の上側部分１７Ａ，１９Ａを上端側ほど先細り形状に構成しているが、同一の左右幅を有する形状であってもよい。
【００４０】
前記後身頃２を構成する裏地２４（図１参照）の大部分（全てでもよいし、一部でもよい）を通気性を有する生地から構成し、図７（ａ），（ｂ）に示すように、前記背中部である第１部材１６から第３部材２２までの７つの部材を別々に収納可能な収納部を備えるとともに通気性を有する生地にて構成するべくメッシュ状の収納袋２５を備え、図４（ａ），（ｂ）に示すように、前記裏地２４側から前記収納袋２５を通して前記後身頃２を構成する表地２６側へ通気させるための通気部を該表地２６に備えさせている。具体的には、図５にも示すように、前記表地２６のうちの、前記第１部材１６から第３部材２１，２２に渡る部分に対応する部分（図では上下方向中央よりも少し上側部分から下端に渡る表地２６の半分を越える広い範囲）に、通気性を有する一枚のメッシュ状生地２７を備えさせて、前記通気部を構成している。前記収納袋２５は、図７（ａ），（ｂ）に示すように、前記と同様に２枚のメッシュ状の生地２５Ａ，２５Ｂをそれらの外周縁を内折りにして重ね合わせて縫着することによって、袋状に構成したものである。そして、前記７つの浮力材１６〜２２のうちの隣り合う部材間で生地２５Ａ，２５Ｂを糸３２にて縫い付けることによって、７つの浮力材１６〜２２を別々に仕切った状態で収納することができるようになっているが、他の方法であってもよい。図に示す３３は、前記７つの部材１６〜２２が収納された収納袋２５を前身頃の内部に収納したときに内部に備えさせた係止部としての雌型（又は雄型）のドット釦（図示せず）に係止して内部に固定することができる係止具としての雄型（又は雌型）のドット釦を示しており、収納袋２５が後身頃２の内部で移動し難くすることができ、好ましいが、無くてもよい。尚、前記係止具３３は、収納袋２５に縫着された生地３４に備えさせている。前記収納袋２５全体が通気性を有するように構成する他、第１部材１６と２つの第２部材１８又は２０との間に渡る部分のみを通気性を有するように構成してもよい。
【００４１】
前記浮力材を、図１１に示す構成であってもよい。つまり、背中を支持するための長方形状の背中部６４と、この背中部６４の左右両横側部に位置する縦長状で長方形状の第１横側部６５，６６と、これら第１横側部６５，６６それぞれの横側に位置する上下寸法の短い第２横側部６７，６８の５つの部材から浮力材を構成している。このように構成することによって、特に横方向に身体を動かす、例えば腰を回転させたり、身体を捻りながら斜め前方又は斜め後方へ倒れこむような動きをした場合でも、それらの動きを背中部６４と第１横側部６５，６６との間の他、第１横側部６５，６６と第２横側部６７，６８との間を介して良好に吸収することができるようにしている。図１１に示す６９は、前記と同様の構成を有するメッシュ状の収納袋であり、糸７０により５つの浮力材を仕切っている。尚、他の説明しなかった部分は、前述したものと同一であるため、同一の符号を付すとともに説明を省略している。
【００４２】
図１２（ａ），（ｂ）に示すように、前記第１横側部６５，６６を、上下方向で分離された上側第１構成部材６５Ａ，６６Ａと下側第１構成部材６５Ｂ，６６Ｂの２つの部材から構成してもよい。この場合には、前に屈む姿勢になる場合に、第１横側部６５，６６が上下で分割されていることから、突っ張ることなくスムーズな動きをすることができる。
【００４３】
前記背中部６４の上側部分を上端側ほど幅狭となる台形状に構成し、前記第１部材６５，６６の上側の左右両横側に位置する前記上側第１構成部材６５Ａ，６６Ａの上側部分を上端側ほど先細り形状に構成して、左右の上端角部が角張ることがないようにしている。又、背中部６４の上側部分を上端側ほど幅狭にしている分、上側第１構成部材６５Ａ，６６Ａの左右幅寸法を確保することができるようにしている。
【００４４】
図１２（ａ），（ｂ）に示すように、前記上側第１構成部材６５Ａ，６６Ａをそれの上側ほど背中部側に位置する傾斜状態で配置し、該上側第１構成部材６５Ａ，６６Ａの上側部分の両横側端のうちの背中部６４から離間する側の端を、それの上端側ほど背中部側に位置する傾斜部６５ａ，６６ａに構成することにより前記先細り形状にすることによって、肩の動きをスムーズに行うことができながらも、肩の後側へ上側第１構成部材６５Ａ，６６Ａが大きく出っ張ることを抑えることができるようにしている。尚、前記上側第１構成部材６５Ａ，６６Ａの下端６５ｂ，６６ｂが背中部６４側ほど上方に位置する傾斜部に構成され、下側第１構成部材６５Ｂ，６６Ｂの上端６５ｃ，６６ｃが背中部６４側ほど上方に位置し、かつ、該上側第１構成部材６５Ａ，６６Ａの下端６５ｂ，６６ｂとほぼ平行となる傾斜部に構成しているが、それら下端６５ｂ，６６ｂ及び上端６５ｃ，６６ｃは水平部であってもよい。図１２（ａ）に示す７１は、前記と同様の構成を有するメッシュ状の収納袋であり、糸７０により７つの浮力材を仕切っている。尚、図１２（ａ），（ｂ）において他の説明しなかった部分は、前述したものと同一であるため、同一の符号を付すとともに説明を省略している。
【図面の簡単な説明】
【００４５】
【図１】釣り用上着の正面図である。
【図２】（ａ）は浮力材を収納した収納袋の正面図、（ｂ）は図２（ａ）におけるＥ−Ｅ線断面図である。
【図３】（ａ）は釣り用上着の背面図、（ｂ）は図３におけるＡ−Ａ線断面図である。
【図４】外皮部材を取り外した状態の釣り用上着の背面図である。
【図５】外皮部材の正面図である。
【図６】（ａ）は図３で示した浮力材を収納した収納袋の正面図、（ｂ）は図６（ａ）におけるＢ−Ｂ線断面図である。
【図７】第２の釣り用上着の背面図である。
【図８】（ａ）は第２の釣り用上着のスリット閉止用生地を破線で示した背面図、（ｂ）は図８におけるＣ−Ｃ線断面図である。
【図９】（ａ）は第２の釣り用上着内に収納した収納袋の正面図、（ｂ）は図９（ａ）におけるＤ−Ｄ線断面図である。
【図１０】スリット閉止用生地を表地に縫い付ける箇所を示す分解正面図である。
【図１１】別の浮力材を５つ収納した収納袋の正面図である。
【図１２】（ａ）は別の浮力材を７つ収納した収納袋の正面図、（ｂ）は（ａ）の収納袋から取り出した浮力材の正面図である。
【符号の説明】
【００４６】
１…前身頃、１Ａ…左前身頃、１Ｂ…右前身頃、２…後身頃、３，４…浮力材、３Ａ，４Ａ…中央部分、３Ｂ，４Ｂ…横側部分、３ａ…上側部分、３ｂ…中央部本体部分、５…ベスト着脱用スライドファスナー、６，８  上ポケット、７，９  下ポケット、１０  収納袋、１０Ａ，１０Ｂ…生地、１１…係止具、１２…生地、１３…糸、１４…スライドファスナー、１４Ａ，１４Ｂ…摘み部、１６〜２０…浮力材、２１…開口部、２２…開口部、２３…スライドファスナー、２４…裏地、２５…収納袋、２５Ａ，２５Ｂ…生地、２６…表地、２７…メッシュ状生地、２８…外皮部材、２９…上部側部分、３０，３１…左右両側部分、３２…糸、３３…係止具、３４…生地、３５…係止部材、３７，３８，３９…メッシュ状部材、４０…スペース、４１，４２…端部材、４３…外縁部材、４４…背中部、４５，４６…横側部、４４〜４６…浮力材、４７…収納袋、４７Ａ，４７Ｂ…生地、４８…糸、５０…生地、５１…表地、５２…背中部、５２Ａ，５２Ｂ…左右両端（中央部側端）、５３，５４…肩部、５５，５６…横側部、５５Ａ，５６Ａ…側端、５７，５８…スリット、５９…スリット閉止用生地、６１，６２…縫着部、６３…生地、６４〜６８…浮力材、６９，７１…収納袋、７０…糸
【図１】
2008179930.tif 000003
【図２】
2008179930.tif 000004
【図３】
2008179930.tif 000005
【図４】
2008179930.tif 000006
【図５】
2008179930.tif 000007
【図６】
2008179930.tif 000008
【図７】
2008179930.tif 000009
【図８】
2008179930.tif 000010
【図９】
2008179930.tif 000011
【図１０】
2008179930.tif 000012
【図１１】
2008179930.tif 000013
【図１２】
2008179930.tif 000014